(57)【要約】【課題】誰でも手軽に利用することができるカラオケ競技用採点板を提供する【解決手段】カラオケ競技用採点板１は、競技参加者の識別番号を記入する番号欄１１と、競技参加者の氏名を記入する氏名欄１２と、競技結果の予想を記入する馬欄１３と、１曲目に歌う曲の曲名を記入する１曲目曲名欄１４と、１曲目の採点結果の整数部分を記入する１曲目採点欄１５と、１曲目の採点結果に基づくハンデを記入するハンデ欄１６と、２曲目に歌う曲の曲名を記入する２曲目曲名欄１７と、２曲目の採点結果の整数部分を記入する２曲目採点欄１８と、過去の競技成績に基づくハンデを記入する残りハンデ欄２０と、ハンデ欄の数値と２曲目採点欄の数値と残りハンデ欄の数値の合計を記入する合計欄１９と、１曲目採点欄の数値と２曲目採点欄の数値と合計欄の数値に基づいて決定された各賞を記入する各賞欄２１とを備え、各欄の内容を示す文字があらかじめ印刷されている。【選択図】図１
0003224695.tif 000002
【実用新案登録請求の範囲】
【請求項１】
カラオケ競技に参加する競技参加者に付与された識別番号を記入する番号欄と、
前記競技参加者の氏名を記入する氏名欄と、
前記競技参加者による前記カラオケ競技の結果の予想を記入する馬欄と、
前記競技参加者が１曲目に歌う曲の曲名を記入する１曲目曲名欄と、
カラオケ装置により算定された前記競技参加者の１曲目の採点結果の整数部分を記入する１曲目採点欄と、
前記１曲目の採点結果に基づいて前記競技参加者に付与されたハンデを記入するハンデ欄と、
前記競技参加者が２曲目に歌う曲の曲名を記入する２曲目曲名欄と、
前記カラオケ装置により算定された前記競技参加者の２曲目の採点結果の整数部分を記入する２曲目採点欄と、
前記競技参加者の過去の競技会の成績に基づいて前記競技参加者に付与された残りハンデを記入する残りハンデ欄と、
前記２曲目採点欄に記入された数値と前記ハンデ欄に記入された数値と前記残りハンデ欄に記入された数値の合計を記入する合計欄と、
前記１曲目採点欄に記入された数値と前記２曲目採点欄に記入された数値と前記合計欄に記入された数値に基づいて決定された各賞を記入する各賞欄とを備え、
前記各欄の内容を示す文字があらかじめ印刷されたカラオケ競技用採点板。
【請求項２】
前記１曲目採点欄および前記ハンデ欄の内容を示す文字が表示された部分に装着することにより、前記１曲目採点欄および前記ハンデ欄を前記１曲目の採点結果の小数部分を記入する１曲目小数点欄に変更する第１の小数点カードと、
前記２曲目採点欄および前記合計欄の内容を示す文字が表示された部分に装着することにより、前記２曲目採点欄および前記合計欄を前記２曲目の採点結果の小数部分を記入する２曲目小数点欄に変更する第２の小数点カードとを備えた請求項１に記載のカラオケ競技用採点板。
【請求項３】
カラオケ競技に参加する競技参加者に付与された識別番号を記入する番号欄と、
前記競技参加者の氏名を記入する氏名欄と、
前記競技参加者による前記カラオケ競技の結果の予想を記入する馬欄と、
前記競技参加者が１曲目に歌う曲の曲名を記入する１曲目曲名欄と、
カラオケ装置により算定された前記競技参加者の１曲目の採点結果の少数部分を記入する１曲目小数点欄と、
前記競技参加者が２曲目に歌う曲の曲名を記入する２曲目曲名欄と、
前記カラオケ装置により算定された前記競技参加者の２曲目の採点結果の少数部分を記入する２曲目小数点欄と、
前記１曲目小数点欄に記入された数値と前記２曲目小数点欄に記入された数値に基づいて決定された各賞を記入する各賞欄とを備え、
前記各欄の内容を示す文字があらかじめ印刷されたカラオケ競技用採点板。
【考案の詳細な説明】
【技術分野】
【０００１】
本考案は、カラオケ競技用の採点板に関する。
【背景技術】
【０００２】
歌唱者があらかじめ用意された伴奏に合わせて歌うカラオケは娯楽として定着している。歌唱者のリクエストに応じて伴奏を再生するカラオケ装置では、採点機能を有するものも普及している（たとえば特許文献１）。
【先行技術文献】
【特許文献】
【０００３】
【特許文献１】特開２０１９−１１７２８１号公報
【考案の概要】
【考案が解決しようとする課題】
【０００４】
カラオケ装置による採点結果に基づいて複数の歌唱者の間で競技を行う場合、採点結果を紙に記録するなど繁雑な作業が必要になる。
【０００５】
また、コンピュータシステムを用いて採点結果を記録し順位付けを行うこともできるが、カラオケの専門店や大きな大会はともかく、小規模な飲食店などで利用するのは費用などの面で現実的でない。
【０００６】
そこで、本考案では、誰でも手軽に利用することができるカラオケ競技用採点板を提供することを目的とする。
【課題を解決するための手段】
【０００７】
本考案のカラオケ競技用採点板は、カラオケ競技に参加する競技参加者に付与された識別番号を記入する番号欄と、競技参加者の氏名を記入する氏名欄と、競技参加者によるカラオケ競技の結果の予想を記入する馬欄と、競技参加者が１曲目に歌う曲の曲名を記入する１曲目曲名欄と、カラオケ装置により算定された競技参加者の１曲目の採点結果の整数部分を記入する１曲目採点欄と、１曲目の採点結果に基づいて競技参加者に付与されたハンデを記入するハンデ欄と、競技参加者が２曲目に歌う曲の曲名を記入する２曲目曲名欄と、カラオケ装置により算定された競技参加者の２曲目の採点結果の整数部分を記入する２曲目採点欄と、競技参加者の過去の競技会の成績に基づいて競技参加者に付与された残りハンデを記入する残りハンデ欄と、２曲目採点欄に記入された数値とハンデ欄に記入された数値と残りハンデ欄に記入された数値の合計を記入する合計欄と、１曲目採点欄に記入された数値と２曲目採点欄に記入された数値と合計欄に記入された数値に基づいて決定された各賞を記入する各賞欄とを備え、各欄の内容を示す文字があらかじめ印刷されている。
【０００８】
上記のカラオケ競技用採点板において、１曲目採点欄およびハンデ欄の内容を示す文字が表示された部分に装着することにより、１曲目採点欄およびハンデ欄を１曲目の採点結果の小数部分を記入する１曲目小数点欄に変更する第１の小数点カードと、２曲目採点欄および合計欄の内容を示す文字が表示された部分に装着することにより、２曲目採点欄および合計欄を２曲目の採点結果の小数部分を記入する２曲目小数点欄に変更する第２の小数点カードとを備えてもよい。
【０００９】
本考案のカラオケ競技用採点板は、カラオケ競技に参加する競技参加者に付与された識別番号を記入する番号欄と、競技参加者の氏名を記入する氏名欄と、競技参加者によるカラオケ競技の結果の予想を記入する馬欄と、競技参加者が１曲目に歌う曲の曲名を記入する１曲目曲名欄と、カラオケ装置により算定された競技参加者の１曲目の採点結果の少数部分を記入する１曲目小数点欄と、競技参加者が２曲目に歌う曲の曲名を記入する２曲目曲名欄と、カラオケ装置により算定された競技参加者の２曲目の採点結果の少数部分を記入する２曲目小数点欄と、１曲目小数点欄に記入された数値と２曲目小数点欄に記入された数値に基づいて決定された各賞を記入する各賞欄とを備え、各欄の内容を示す文字があらかじめ印刷されている。
【考案の効果】
【００１０】
本考案のカラオケ競技用採点板によれば、誰でも手軽に利用してカラオケ競技を楽しむことができる。
【図面の簡単な説明】
【００１１】
【図１】カラオケ競技用採点板（第１の実施形態）の正面図である。
【図２】リクエストカードの説明図である。
【図３】リクエストカード用容器の斜視図である。
【図４】カラオケ競技用採点板の使用方法を説明する図である。
【図５】カラオケ競技用採点板の競技終了時の状態を説明する図である。
【図６】カラオケ競技用採点板の変形例を説明する図である。
【図７】カラオケ競技用採点板（第２の実施形態）の正面図である。
【図８】カラオケ競技用採点板の競技終了時の状態を説明する図である。
【図９】カラオケ競技用採点板（第３の実施形態）の正面図である。
【図１０】カラオケ競技用採点板の競技終了時の状態を説明する図である。
【考案を実施するための形態】
【００１２】
図面を参照しながら本考案の第１の実施形態であるカラオケ競技用採点板１の構成について説明する。
図１は、カラオケ競技用採点板１の正面図である。カラオケ競技用採点板１は、たとえば、ホワイトボード、黒板など正面に文字や図形を書くことが可能で、それらを所定の筆記用具（たとえば、チョークや専用のマーカー）で書けば、容易に消去できるように加工された板状の部材である。
【００１３】
カラオケ競技用採点板１は、番号欄１１、氏名欄１２、馬欄１３、１曲目曲名欄１４、１曲目採点欄１５、ハンデ欄１６、２曲目曲名欄１７、２曲目採点欄１８、合計欄１９、残りハンデ欄２０、各賞欄２１を備えている。各欄の１行目（最上部）には、欄の内容を示す文字「番号」、「氏名」、「馬」、「曲名」「採点」、「ハンデ」、「曲名」、「採点」、「合計」、「残りハンデ」、「各賞」があらかじめ印刷されている。
【００１４】
２行目以降は、各行が一人のカラオケ競技の競技参加者に対応し、この実施形態では競技参加者数は１０人を標準とし、各競技参加者用の記入欄を１０行設けるとともに、１０人以上の競技者参加者にも対応できるように、５行の予備枠２２が設けられている。もちろん、競技参加人数は１０人には限定されないし、予備枠の行数も５には限定されない。また、不要であれば予備枠は設けなくてもよい。
【００１５】
上記の各欄と行から構成される採点表の外周、各欄の境界、各行の境界には罫線が印刷されている。
【００１６】
番号欄１１は各競技参加者に重複しないように付与された識別記号、たとえば連番の整数を記入する欄である。この例では識別記号として１〜１５の整数があらかじめ印刷されている。この記号は後述する馬欄に記入するために用いる。
【００１７】
氏名欄１２は競技参加者の氏名を記入する欄である。
【００１８】
馬欄１３は、各競技参加者が予想した競技結果を記入する欄である。たとえば、競馬の連勝単式と同様に１位になると予想する競技参加者の番号と２位になると予想する競技参加者の番号を「５−４」のように記入する。競技参加者の数が多い場合、たとえば、１０人以上の場合は、連勝単式では的中者が出ない可能性が高くなるので、連勝複式とするとよい。
【００１９】
１曲目曲名欄１４は各競技参加者が１曲目に歌う曲の曲名を記入するための欄である。
【００２０】
１曲目採点欄１５は、各競技参加者が１曲目を歌い終わった後にカラオケ装置により算定された採点結果を記入する欄である。採点結果は１００点満点とし小数点以下３桁まで表示するカラオケ装置が多いが、ここでは小数点以下を切り捨てて整数部分のみを記入する。たとえば、採点結果が「９２．５６７」の場合は「９２」と記入する。
【００２１】
ハンデ欄１６は１曲目の採点結果に基づいて各競技参加者に与えられるハンデを記入する欄である。ハンデは、たとえば、基準点を９０点とし、その基準点と１曲目の採点結果との差に基づいて決めることができる。
【００２２】
２曲目曲名欄１７は各競技参加者が２曲目に歌う曲の曲名を記入するの欄である。
【００２３】
２曲目採点欄１８は、各競技参加者が２曲目を歌い終わった後にカラオケ装置により算定された採点結果を記入する欄である。記入方法は、１曲目採点欄１５と同様である。
【００２４】
残りハンデ欄２０は、各競技参加者の過去の競技成績に基づいて付与された残りハンデを記入する欄である。残りハンデは、たとえば、今回の競技会より１回前の優勝者に−４点、２回前の優勝者に−３点、３回前の優勝者に−２点、のように付与する。
【００２５】
合計欄１９は、２曲目採点欄１８に記入された数値と数値とハンデ欄１６に記入された数値と残りハンデ欄２０に記入された数値の合計を記入する欄である。
【００２６】
各賞欄２１は競技の終了後に各賞の受賞者を示す欄である。各賞欄２１の各賞の受賞者の氏名に対応する行に賞の名称を記入する。各賞の選定方法は競技開始前にあらかじめ定めておくが、たとえば、合計欄１９に記入された数値の高い順に決める「優勝（１位）」、「２位」、「３位」、「ブービー（下から２番目）」がある。この場合、同点者が出た場合の取り決め、たとえば、２曲目の採点結果の整数部分が大きい方が受賞する、を取り決めておくことが望ましい。そのほか、平均賞（１曲目と２曲目の採点結果の整数部分が等しい）、ゾロ目（１曲目または２曲目の採点結果の十の位と一の位が等しい、たとえば８８点）、最高点賞（１曲目の採点結果の整数部分が最大）等を採用することができる。また、多くの競技参加者が受賞できるように、一人の競技参加者は一つしか各賞を受賞できないようにするとよい。一人の競技者が複数の各賞に該当する場合の優先順位は、たとえば、優勝、最高点賞、２位、３位、ゾロ目賞、平均賞、ブービー賞の順とする。
【００２７】
上述した各欄の内容を説明する文字、番号欄１１の各行の番号、罫線は容易に消えないようにあらかじめ印刷されている。
【００２８】
次に、カラオケ競技用採点板１の使用例について説明する。
競技の主催者は、図１のカラオケ競技用採点板１に加えて図２に示したリクエストカード３１と図３に示した一組の容器３５を用意しておく。
【００２９】
リクエストカード３１は、競技参加者の氏名を記入する氏名欄３２と、その競技者が１曲目または２曲目に歌う曲の曲名を記入する曲名欄、キー（音程）を記入するキー欄３４を備えたカードである。
【００３０】
一組の容器３５は、透明容器３６と透明容器３７の２個の容器から成る。透明容器３６は透明な本体３６ａと蓋３６ｂを備えている。透明容器３７は透明な本体３７ａと蓋３７ｂを備えている。蓋３６ａと蓋３７ｂには、それぞれ、容器を識別する記号、たとえば文字「Ａ」と文字「Ｂ」が表示されている。透明容器３６、３７としては市販のタッパウェア等を用いることができる。
【００３１】
主催者は、競技開始前に各競技参加者にリクエストカード３１を２枚ずつ配布する。各競技参加者は、２枚のリクエストカード３１に、それぞれ、自己の氏名、歌う曲名、キーを記入して、競技開始前の所定の時間、たとえば３０分前までに主催者に提出する。
【００３２】
主催者は、各競技参加者から提出された２枚のリクエストカード３１のうち一方を本体３６ａに、他方を本体３７ｂにそれぞれ入れて蓋３６ｂ、３７ｂを装着する。
【００３３】
主催者から指名された競技参加者、たとえば前回の優勝者がＡとＢのいずれか選ぶ。Ａを選んだ場合は容器３６に入っているリクエストカード３１に記載された曲を、Ｂを選んだ場合は容器３７に入っているリクエストカード３１に記載された曲を１曲目に歌うものとする。以下、Ａが選ばれたとして説明する。
【００３４】
主催者は各競技参加者の氏名を氏名欄１２に、容器３６に入っているリクエストカード３１に記載されている曲名を１曲目曲名欄１４にそれぞれ記入する。なお、主催者が記入を始めた後では競技参加者はキーを変更できないものとする。また、競技参加者がある程度固定している場合には、マーカー等で記入する代わりに、あらかじめ作成しておいた氏名が記入されたカードを氏名欄１２に貼り付けるようにしてもよい。
【００３５】
主催者は、容器３６に入っていたリクエストカード３１を各競技参加者に返す。
【００３６】
各競技参加者はリクエストカード３１に競技結果の予想を赤で記入し主催者に提出する。
【００３７】
主催者は、提出されたカードに記載されている予想を馬欄１３に、各競技参加者の残りハンデを残りハンデ欄２０に、容器３７に入っているリクエストカード３１に記載された曲名を２曲目曲名欄１７に、それぞれ記入する。この段階のカラオケ競技用採点板１の状態を図４に示す。
【００３８】
各競技参加者は１曲目曲名欄１４に記入された曲を歌い、主催者はカラオケ装置に表示された採点結果の整数部分を１曲目採点欄１５に記入する。また、１曲目の採点結果に基づいてハンデ欄１６に各競技参加者のハンデを記入する。全競技参加者が１曲目を歌い終わったら、続いて各競技参加者は２曲目曲名欄１７に記入された曲を歌い、主催者はカラオケ装置に表示された採点結果の整数部分を２曲目採点欄１８に記入する。
【００３９】
全競技参加者が２曲目を歌い終わったら、主催者は２曲目採点欄１８に記入された数値とハンデ欄１６に記入された数値と残りハンデ欄２０に記入された数値の合計を合計欄１９に記入し、あらかじめ定められたルールにより各賞の受賞者を決め各賞欄２１に記入する。この段階のカラオケ競技用採点板１の状態を図５に示す。
【００４０】
主催者は、各賞の受賞者と馬の的中者に賞品を授与する。賞品の選定は賭博罪に問われないように現金や高額なものは避け、たとえば、賞状、メダル、主催者の店舗で商品と引き換えることができるサービス券などとする。
【００４１】
カラオケ競技用採点板１は、２枚以上の板を組み合わせて構成することもできる。たとえば、図６に示すように、番号欄１１、氏名欄１２、馬欄１３、１曲目曲名欄１４、１曲目採点欄１５、ハンデ欄１６を備えた第１の板１ａと２曲目曲名欄１７、２曲目採点欄１８、合計欄１９、残りハンデ欄２０、各賞欄２１を備えた第２の板１ｂにより構成することもできる。
【００４２】
このようにすると、各板１ａ、１ｂの大きさ、重量が図１の場合に比べて小さくなり、取り扱いや保管が容易となる。
【００４３】
カラオケ競技用採点板１によれば、各欄の名称など競技会の開催ごとに変動しない要素があらかじめ印刷されている。そのため、主催者は氏名などの開催ごとに変動する要素を記入するだけで容易に競技会の運営を行うことができる。
【００４４】
カラオケ競技用採点板１は、ホワイトボード等の物理的な部材だけで構成されているから、高価な情報処理機器を用意したり複雑な操作方法を覚えたりする必要がなく、誰でも簡単に用いることができ、カラオケ競技会を楽しむことができる。
【００４５】
次に、本考案の第２の実施形態であるカラオケ競技用採点板２の構成について説明する。第１の実施形態と同様の構成要素には図面に第１の実施形態と同一の符号を付して説明を省略する。
図７は、カラオケ競技用採点板２の正面図である。カラオケ競技用採点板２は、カラオケ競技用採点板１の１曲目採点欄１５およびハンデ欄１６に替わって１曲目小数点欄４１を、カラオケ競技用採点板１の２曲目採点欄１８、合計欄１９および残りハンデ欄２０に替わって２曲目小数点欄４２を備えている。なお、第１の実施形態と同様の予備枠を設けてもよい。
【００４６】
上述のようにカラオケ装置は採点結果として小数点以下３桁まで表示するものが多い。１曲目小数点欄４１には１曲目の採点結果の小数部分を、２曲目小数点欄４２には２曲目の採点結果の小数部分を、それぞれ記入する。たとえば、１曲目の採点結果が「９２．１０１」の場合１曲目小数点欄４１には「１０１」と記入する。
【００４７】
図８に競技終了時のカラオケ競技用採点板２の状態を示す。第１の実施形態と異なり、各賞は１曲目小数点欄４１と２曲目小数点欄４２に基づいて決定する。優勝、２位、ブービーは採点結果の小数点以下を３桁の整数と見なして順位を付ける。図８の例では、競技参加者Ｃの１曲目の「９７６」が最も大きいため、Ｃが優勝となる。その他の賞として、たとえば、小数点以下第２位の数字と小数点以下第３位の数字が等しい場合の「ゾロ目賞」、小数点以下第１位の数字と小数点以下第２位の数字と小数点以下第３位の数字が等しい場合の「トリプル」、１曲目の小数点以下第３位の数字と２曲目の小数点以下第３の数字が等しい場合の「平均賞」などを設定することができる。
【００４８】
第１の実施形態のように、点数そのもので順位を決めると上位入賞者がほぼ固定してしまい、「ゾロ目賞」などがあっても歌唱力が低い人は楽しめなくなってしまいがちである。しかし、第２の実施形態のように小数点以下の数値により順位付けをすると歌唱力の低い人でも優勝のチャンスがあり、全員が平等に楽しむことができる。
【００４９】
次に、本考案の第３の実施形態であるカラオケ競技用採点板３の構成について説明する。第１の実施形態と同様の構成要素には図面に第１の実施形態と同一の符号を付して説明を省略する。
図９は、カラオケ競技用採点板３の正面図である。カラオケ競技用採点板３は、図１のカラオケ競技用採点板１の構成に加えて、第１の小数点カード４３と第２の小数点カード４４を備えている。
【００５０】
第１の小数点カード４３と第２の小数点カード４４は、カラオケ競技用採点板３の正面に着脱可能なカードで、それぞれ、「小数点」の文字が表示されている。
【００５１】
採点結果の整数部分に基づいて各賞を決める場合には、カラオケ競技用採点板３に第１の小数点カード４３と第２の小数点カード４４のいずれも取り付けずに、カラオケ競技用採点板１と同じ方法で用いる。
【００５２】
採点結果の小数部分に基づいて各賞を決める場合には、カラオケ競技用採点板３に第１の小数点カード４３、第２の小数点カード４４を取り付けて、第２の実施形態のカラオケ競技用採点板２と同様の構成として用いる。具体的には、カラオケ競技用採点板３の採点欄１５の「採点」の文字とハンデ欄１６の「ハンデ」の文字とを隠すように第１の小数点カード４３を取り付けて１曲目採点欄１５およびハンデ欄１６を第２の実施形態の１曲目小数点欄４１に変更する。また、カラオケ競技用採点板３の２曲目採点欄１８の「採点」の文字、合計欄１９の「合計」の文字および残りハンデ欄２０の「残りハンデ」の文字を隠すように第２の小数点カード４４を取り付けて２曲目採点欄１８、合計欄１９、残りハンデ欄２０を第２の実施形態の２曲目小数点欄４２に変更する。
【００５３】
図１０は、カラオケ競技用採点板３の競技終了時の状態を説明する図である。図８に示す第２の実施形態の場合と同様であるが、１曲目採点欄１５とハンデ欄１６の境界の罫線はそのまま残され、罫線の左側部分に１曲目の採点結果の小数点以下第１位と第２位の数字が、罫線の右側部分に１曲目の採点結果の小数点以下第３位の数字が、それぞれ記入されている。同様に、２曲目採点欄１８と合計欄１９の境界の罫線はそのまま残され、罫線の左側部分に２曲目の採点結果の小数点以下第１位と第２位の数字が、罫線の右側部分に２曲目の採点結果の小数点以下第３位の数字が、それぞれ記入されている。このようにすることにより、ゾロ目賞や平均賞の判定が行いやすくなる。
【００５４】
カラオケ競技用採点板３によれば、小数点カード４３、４４を着脱することにより、採点結果の整数部分に基づいて各賞を決める競技方法と、採点結果の小数部分に基づいて各賞を決める競技方法の両方に使用することができる。
【符号の説明】
【００５５】
１、２、３  カラオケ競技用採点板
１ａ  第１の板
１ｂ  第２の板
１１  番号欄
１２  氏名欄
１３  馬欄
１４  １曲目曲名欄
１５  １曲目採点欄
１６  ハンデ欄
１７  ２曲目曲名欄
１８  ２曲目採点欄
１９  合計欄
２０  残りハンデ欄
２１  各賞欄
２２  予備枠
３１  リクエストカード
３２  氏名欄
３３  曲名欄
３４  キー欄
３５  １組の容器
３６、３７  透明容器
３６ａ、３７ａ  本体
３６ｂ、３７ｂ  蓋
４１  １曲目小数点欄
４２  ２曲目小数点欄
４３  第１の小数点カード
４４  第２の小数点カード
【図１】
0003224695.tif 000003
【図２】
0003224695.tif 000004
【図３】
0003224695.tif 000005
【図４】
0003224695.tif 000006
【図５】
0003224695.tif 000007
【図６】
0003224695.tif 000008
【図７】
0003224695.tif 000009
【図８】
0003224695.tif 000010
【図９】
0003224695.tif 000011
【図１０】
0003224695.tif 000012
【手続補正書】
【提出日】令和1年11月6日(2019.11.6)
【手続補正１】
【補正対象書類名】実用新案登録請求の範囲
【補正対象項目名】全文
【補正方法】変更
【補正の内容】
【実用新案登録請求の範囲】
【請求項１】
カラオケ競技に参加する競技参加者に付与された識別番号を記入する番号欄と、
前記番号欄の右側に配置され前記競技参加者の氏名を記入する氏名欄と、
前記氏名欄の右側に配置され前記競技参加者による前記カラオケ競技の結果の予想を記入する馬欄と、
前記馬欄の右側に配置され前記競技参加者が１曲目に歌う曲の曲名を記入する１曲目曲名欄と、
前記1曲目曲名欄の右側に配置されカラオケ装置により算定された前記競技参加者の１曲目の採点結果の整数部分を記入する１曲目採点欄と、
前記1曲目採点欄の右側に配置され前記１曲目の採点結果に基づいて前記競技参加者に付与されたハンデを記入するハンデ欄と、
前記ハンデ欄の右側に配置され前記競技参加者が２曲目に歌う曲の曲名を記入する２曲目曲名欄と、
前記２曲目曲名欄の右側に配置され前記カラオケ装置により算定された前記競技参加者の２曲目の採点結果の整数部分を記入する２曲目採点欄と、
前記２曲目採点欄の右側に配置された合計欄と、
前記合計欄の右側に配置され前記競技参加者の過去の競技会の成績に基づいて前記競技参加者に付与された残りハンデを記入する残りハンデ欄と、
前記残りハンデ欄の右側に配置され前記１曲目採点欄に記入された数値と前記２曲目採点欄に記入された数値と前記合計欄に記入された数値に基づいて決定された各賞を記入する各賞欄とを備え、
前記合計欄には、前記２曲目採点欄に記入された数値と前記ハンデ欄に記入された数値と前記残りハンデ欄に記入された数値の合計を記入し、
前記各欄の内容を示す文字があらかじめ印刷されたカラオケ競技用採点板。
【請求項２】
前記１曲目採点欄および前記ハンデ欄の内容を示す文字が表示された部分に装着することにより、前記１曲目採点欄および前記ハンデ欄を前記１曲目の採点結果の小数部分を記入する１曲目小数点欄に変更する第１の小数点カードと、
前記２曲目採点欄および前記合計欄の内容を示す文字が表示された部分に装着することにより、前記２曲目採点欄および前記合計欄を前記２曲目の採点結果の小数部分を記入する２曲目小数点欄に変更する第２の小数点カードとを備えた請求項１に記載のカラオケ競技用採点板。
【請求項３】
カラオケ競技に参加する競技参加者に付与された識別番号を記入する番号欄と、
前記番号欄の右側に配置され前記競技参加者の氏名を記入する氏名欄と、
前記氏名欄の右側に配置され前記競技参加者による前記カラオケ競技の結果の予想を記入する馬欄と、
前記馬欄の右側に配置され前記競技参加者が１曲目に歌う曲の曲名を記入する１曲目曲名欄と、
前記１曲目曲名欄の右側に配置されカラオケ装置により算定された前記競技参加者の１曲目の採点結果の少数部分を記入する１曲目小数点欄と、
前記１曲目小数点欄の右側に配置され前記競技参加者が２曲目に歌う曲の曲名を記入する２曲目曲名欄と、
前記２曲目曲名欄の右側に配置され前記カラオケ装置により算定された前記競技参加者の２曲目の採点結果の少数部分を記入する２曲目小数点欄と、
前記２曲目小数点欄の右側に配置され前記１曲目小数点欄に記入された数値と前記２曲目小数点欄に記入された数値に基づいて決定された各賞を記入する各賞欄とを備え、
前記各欄の内容を示す文字があらかじめ印刷されたカラオケ競技用採点板。
【手続補正２】
【補正対象書類名】明細書
【補正対象項目名】０００７
【補正方法】変更
【補正の内容】
【０００７】
本考案のカラオケ競技用採点板は、カラオケ競技に参加する競技参加者に付与された識別番号を記入する番号欄と、番号欄の右側に配置され競技参加者の氏名を記入する氏名欄と、氏名欄の右側に配置され競技参加者によるカラオケ競技の結果の予想を記入する馬欄と、馬欄の右側に配置され競技参加者が１曲目に歌う曲の曲名を記入する１曲目曲名欄と、1曲目曲名欄の右側に配置されカラオケ装置により算定された競技参加者の１曲目の採点結果の整数部分を記入する１曲目採点欄と、1曲目採点欄の右側に配置され１曲目の採点結果に基づいて競技参加者に付与されたハンデを記入するハンデ欄と、ハンデ欄の右側に配置され競技参加者が２曲目に歌う曲の曲名を記入する２曲目曲名欄と、２曲目曲名欄の右側に配置されカラオケ装置により算定された競技参加者の２曲目の採点結果の整数部分を記入する２曲目採点欄と、２曲目採点欄の右側に配置された合計欄と、合計欄の右側に配置され競技参加者の過去の競技会の成績に基づいて競技参加者に付与された残りハンデを記入する残りハンデ欄と、残りハンデ欄の右側に配置され１曲目採点欄に記入された数値と２曲目採点欄に記入された数値と合計欄に記入された数値に基づいて決定された各賞を記入する各賞欄とを備え、合計欄には、２曲目採点欄に記入された数値とハンデ欄に記入された数値と残りハンデ欄に記入された数値の合計を記入し、各欄の内容を示す文字があらかじめ印刷されている。
【手続補正３】
【補正対象書類名】明細書
【補正対象項目名】０００９
【補正方法】変更
【補正の内容】
【０００９】
本考案のカラオケ競技用採点板は、カラオケ競技に参加する競技参加者に付与された識別番号を記入する番号欄と、番号欄の右側に配置され競技参加者の氏名を記入する氏名欄と、氏名欄の右側に配置され競技参加者によるカラオケ競技の結果の予想を記入する馬欄と、馬欄の右側に配置され競技参加者が１曲目に歌う曲の曲名を記入する１曲目曲名欄と、１曲目曲名欄の右側に配置されカラオケ装置により算定された競技参加者の１曲目の採点結果の少数部分を記入する１曲目小数点欄と、１曲目小数点欄の右側に配置され競技参加者が２曲目に歌う曲の曲名を記入する２曲目曲名欄と、２曲目曲名欄の右側に配置されカラオケ装置により算定された競技参加者の２曲目の採点結果の少数部分を記入する２曲目小数点欄と、２曲目小数点欄の右側に配置され１曲目小数点欄に記入された数値と２曲目小数点欄に記入された数値に基づいて決定された各賞を記入する各賞欄とを備え、各欄の内容を示す文字があらかじめ印刷されている。